(57)【要約】【課題】本体を大型化することがなく、しかも設置性、安全性、信頼性に優れた人体乾燥装置を提供する。【解決手段】衛生洗浄装置を収納する本体の乾燥ノズルに接続される蓄圧手段２３を備え、蓄圧手段２３は、空気を加圧する加圧手段２２と、加圧された加圧空気を蓄える蓄圧タンク２３ａと、これらを収納ケース４８とによりユニット化して本体外に設置し、蓄圧タンク２３ａを、開閉弁２５を介して乾燥ノズルに接続したものである。これにより、洗浄便座等に高速乾燥機能を付加することができ、また蓄圧手段２３の本体４外への設置等の取扱が容易で、加圧手段２２に人体が触れる危険性も無くなり安全性も向上し、さらに、蓄圧タンク２３ａと加圧手段２２が密に構成されるので、接続部品が少なくなり信頼性が向上する。【選択図】  図２
2004190281.tif 000002
【特許請求の範囲】
【請求項１】
衛生洗浄装置を収納する本体に設けられた乾燥ノズルと、前記乾燥ノズルに接続される蓄圧手段とを備え、前記蓄圧手段は、空気を加圧する加圧手段と、加圧された加圧空気を蓄える蓄圧タンクと、これらを収納する収納ケースとよりユニット化して本体外に設置するとともに、前記蓄圧タンクを前記収納ケースの一部に設け、前記蓄圧タンクを前記乾燥ノズルに接続した人体乾燥装置。
【請求項２】
収納ケースの蓋と蓄圧タンクの蓋を一体に構成した請求項１に記載の人体乾燥装置。
【請求項３】
蓄圧タンクを収納ケースから分離した請求項１に記載の人体乾燥装置。
【請求項４】
蓄圧タンク蓋の外側に、乾燥ノズルに接続する開閉弁の入口側を取り付けた請求項３に記載の人体乾燥装置。
【請求項５】
蓄圧タンク蓋の内側に、乾燥ノズルに接続する開閉弁の出口側を取り付けた請求項３に記載の人体乾燥装置。
【請求項６】
加圧手段の動力側の収納ケース壁面に空気の吸気口を設けた請求項１または３に記載の人体乾燥装置。
【請求項７】
収納ケースの吸気口を有する壁面の反対側に加圧手段の圧縮機を配置した請求項６に記載の人体乾燥装置。
【請求項８】
収納ケース内に加圧手段を冷却する冷却手段を設けた請求項１または３に記載の人体乾燥装置。
【請求項９】
冷却手段の動力と加圧手段の動力を共用した請求項８に記載の人体乾燥装置。
【請求項１０】
収納ケース内の空気を排気する排気部を設け、衛生洗浄装置を収納する本体と連絡した便器ボール内に排気する請求項１、８、９のいずれか１項に記載の人体乾燥装置。
【請求項１１】
収納ケースの排気部を加圧手段の圧縮機側に設けた請求項１０に記載の人体乾燥装置。
【請求項１２】
収納ケースに吸気した空気の通路を設け、蓄圧タンク近傍の収納ケース壁面に設けた吸気口から吸気した空気を前記通路に導き加圧手段に供給した請求項８〜１１のいずれか１項に記載の人体乾燥装置。
【発明の詳細な説明】
【０００１】
【発明の属する技術分野】
本発明は、シャワーや衛生洗浄便座等に適用される衛生洗浄装置において、洗浄後の被洗浄面に加圧空気を供給し乾燥促進を行なわせる人体乾燥装置にするものである。
【０００２】
【従来の技術】
従来、衛生洗浄装置においては、洗浄後、被洗浄面に加圧空気と温風を供給して乾燥させるものが知られている（例えば、特許文献１参照）。
【０００３】
これは、加圧空気を噴射させ、残留付着した水滴を吹き飛ばし拡散させると、細かな水滴または薄い水膜状になるので、その後に温風乾燥すると、濡れた被洗浄面の全体を短時間で万遍なく乾燥することができるからである。
【０００４】
【特許文献１】
特開昭５８−２１８５３１号公報
【０００５】
【発明が解決しようとする課題】
しかしながら、水滴を吹き飛ばし拡散させるほどの加圧空気の供給には、加圧手段が大型になり、これを装備する衛生洗浄装置はその本体が大型化し、脱臭装置等の構成要素を含めると、さらに顕著になるという課題があった。そこで、加圧手段を衛生洗浄装置の本体外へ出すと、高速で稼動する空気圧縮機や高圧空気溜めを含む人体乾燥装置の設置性、安全性および信頼性が問題となる。
【０００６】
本発明は前記従来の課題を解決するもので、本体を大型化することがなく、しかも設置性、安全性、信頼性に優れた人体乾燥装置を提供することを目的とする。
【０００７】
【課題を解決するための手段】
前記目的を達成するために、本発明の人体乾燥装置は、乾燥ノズルに接続される蓄圧手段を備え、この蓄圧手段は、空気を加圧する加圧手段と、加圧された加圧空気を蓄える蓄圧タンクと、これらを収納する収納ケースとよりユニット化して本体外に設置するとともに、前記蓄圧タンクを前記乾燥ノズルに接続したものである。
【０００８】
これにより、加圧手段、蓄圧タンクおよび収納ケースからなる蓄圧手段を単独で構成し、それを本体外に設置し、蓄圧手段と本体内の乾燥ノズルとを接続することで、洗浄便座等に高速乾燥機能を付加することができる。また蓄圧手段を収納ケースに収めることにより、本体外への設置等の取扱が容易になるし、高速で稼動する加圧手段に人体が触れる危険性も無くなり安全性も向上する。さらに、蓄圧タンクと加圧手段が密に構成されるので、接続部品が少なくなり信頼性が向上することになる。
【０００９】
【発明の実施の形態】
請求項１に記載の発明は、衛生洗浄装置を収納する本体に設けられた乾燥ノズルと、前記乾燥ノズルに接続される蓄圧手段とを備え、前記蓄圧手段は、空気を加圧する加圧手段と、加圧された加圧空気を蓄える蓄圧タンクと、これらを収納する収納ケースとよりユニット化して本体外に設置するするとともに、前記蓄圧タンクを前記収納ケースの一部に設け、前記蓄圧タンクを前記乾燥ノズルに接続した人体乾燥装置としたものであり、加圧手段、蓄圧タンクおよび収納ケースからなる蓄圧手段を単独で構成し、それを本体外に設置し、蓄圧手段と本体内の乾燥ノズルとを接続することで、洗浄便座等に高速乾燥機能を付加することができる。また蓄圧手段を収納ケースに収めることにより、本体外への設置等の取扱が容易になるし、高速で稼動する加圧手段に人体が触れる危険性も無くなり安全性も向上する。さらに、蓄圧タンクと加圧手段が密に構成されるので、接続部品が少なくなり信頼性が向上することになる。
【００１０】
請求項２に記載の発明は、収納ケースの蓋と蓄圧タンクの蓋を一体に構成した請求項１に記載の人体乾燥装置としたことにより、部品点数が少なくなるとともに、構成が簡単になり信頼性を向上することができる。
【００１１】
請求項３に記載の発明は、蓄圧タンクを収納ケースから分離した請求項１に記載の人体乾燥装置としたことにより、高圧のかかる蓄圧タンクを圧力容器として単独で構成することができ、安全性を向上することができる。
【００１２】
請求項４に記載の発明は、蓄圧タンク蓋の外側に、乾燥ノズルに接続する開閉弁の入口側を取り付けた請求項３に記載の人体乾燥装置としたことにより、高圧のかかる蓄圧タンクと開閉弁の接続管を無くすことができ、安全性と信頼性を向上することができる。
【００１３】
請求項５に記載の発明は、蓄圧タンク蓋の内側に、乾燥ノズルに接続する開閉弁の出口側を取り付けた請求項３に記載の人体乾燥装置としたことにより、請求項４と同様な効果のほか、開閉弁が蓄圧タンク内に収納されることから、設置の時、他の機器や壁に接触することがなくなり、設置性、安全性、信頼性を向上することができる。
【００１４】
請求項６に記載の発明は、加圧手段の動力側の収納ケース壁面に空気の吸気口を設けた請求項１または３に記載の人体乾燥装置としたことにより、外気が加圧手段の動力にあたり易くなり、発熱した加圧手段の動力が空冷されるので、安全性、信頼性を向上することができる。
【００１５】
請求項７に記載の発明は、収納ケースの吸気口を有する壁面の反対側に加圧手段の圧縮機を配置した請求項６に記載の人体乾燥装置としたことにより、吸気口から流入した外気が加圧手段の動力に当たった後、圧縮機の外側に接触しながら圧縮機に吸引されることになり、発熱した加圧手段の動力と圧縮機がともに空冷されるので、安全性、信頼性を向上することができる。
【００１６】
請求項８に記載の発明は、収納ケース内に加圧手段を冷却する冷却手段を設けた請求項１または３に記載の人体乾燥装置としたことにより、加圧手段の動力と圧縮機がともに強制空冷され、安全性、信頼性を向上することができる。
【００１７】
請求項９に記載の発明は、冷却手段の動力と加圧手段の動力を共用した請求項８に記載の人体乾燥装置としたことにより、部品点数が少なくなるとともに、構成が簡単になり信頼性を向上することができる。
【００１８】
請求項１０に記載の発明は、収納ケース内の空気を排気する排気部を設け、衛生洗浄装置を収納する本体と連絡した便器ボール内に排気する請求項１、８、９のいずれか１項に記載の人体乾燥装置としたことにより、外気が流入し易くなり冷却性能がよくなるので、安全性、信頼性を向上することができる。また、排気の温風で臀部の乾燥が行われるので乾燥性能も向上することができる。
【００１９】
請求項１１に記載の発明は、収納ケースの排気部を加圧手段の圧縮機側に設けた請求項１０に記載の人体乾燥装置としたことにより、吸気口から流入した外気が冷却手段によって、加圧手段の動力に流された後、圧縮機の外側に接触しながら排気部に至り排気されることになり、発熱した加圧手段の動力と圧縮機がともに効率よく空冷されるので、安全性、信頼性を更に向上することができる。また、排気温度も高くなるので乾燥性能も向上することができる。
【００２０】
請求項１２に記載の発明は、収納ケースに吸気した空気の通路を設け、蓄圧タンク近傍の収納ケース壁面に設けた吸気口から吸気した空気を前記通路に導き加圧手段に供給した請求項８〜１１のいずれか１項に記載の人体乾燥装置としたことにより、外気が圧縮熱で温度上昇した蓄圧タンク外壁に接触しながら流れることになり、蓄圧タンクが強制空冷されるので、安全性、信頼性を向上することができる。
【００２１】
【実施例】
以下本発明の実施例について、図面を参照しながら説明する。
【００２２】
（実施例１）
図１、図２は本発明の実施例１における衛生洗浄装置の人体乾燥装置を示したものである。
【００２３】
図において、１は便器、１ａは便器ボウル、２は便座、３は便座蓋、９は水洗タンク（ロータンク）である。４は衛生洗浄装置の本体である。この内部には、洗浄水を加熱する加熱手段およびその温水を圧送する送水ポンプ（いずれも図示せず）を設け、送水ポンプに人体を洗浄する洗浄ノズル１０を接続し、洗浄ノズル１０を便器ボウル１ａに配設している。洗浄ノズル１０は洗浄時に便器ボウル１ａの後部より中央方向に向けて突出するようにしている。水道管に給水元弁を介して加熱手段に水を給水して加熱し、送水ポンプで洗浄ノズル１０に圧送し、洗浄ノズル１０から被洗浄面に噴射しこれにより洗浄が行われる。
【００２４】
また、衛生洗浄装置は、洗浄後の被洗浄面を乾燥するため、被洗浄面に残留付着した水滴を吹き飛ばして飛散または拡散させる人体乾燥装置と、温風乾燥手段を設けているものである。
【００２５】
人体乾燥装置は、衛生洗浄装置の本体４に設けられ、被洗浄面に加圧空気を噴出する乾燥ノズル２４と、この乾燥ノズル２４に加圧空気を供給する蓄圧手段２３とを備え、前記蓄圧手段２３は、空気を加圧する加圧手段２２と、この加圧手段２２による加圧空気を蓄えるとともに前記乾燥ノズル２４と接続した蓄圧タンク２３ａと、これらを保持する収納ケース４８とよりユニット化するとともに、前記蓄圧タンク２３ａを前記収納ケース４８の一部に設けたものである。前記蓄圧手段２３は、本体４外で便器１の側方の適所に配置され、本体４の乾燥ノズル２４と配管４５により接続され、また本体４の制御部（図示せず）と電源リード線４６により接続されている。また、乾燥ノズル２４は、加圧空気を噴出することにより、洗浄後の被洗浄面の乾燥促進をさせるものであり、使用時に便器ボウル１ａ内の中央寄りに突出して被洗浄面に略垂直に加圧空気を噴出する。この場合、乾燥ノズル２４は公知の手段、例えばモータ駆動や水圧駆動により、伸縮または折り畳み可能に構成しており、乾燥使用時に便器ボウル１ａ内の中央寄りに移動する。また、乾燥ノズル２４からの加圧空気の噴出は開閉弁２５、例えば開閉弁により制御される。
【００２６】
温風乾燥手段３１は、温風を発生する温風吐出手段と、発生した温風を被洗浄面に向けて吹き出すノズル３１ａからなるものであるが、ここでは詳細説明を省略する。
【００２７】
４０はコンセント、４１はコンセント４０に接続される受電部、４２は操作パネル、４３はリモコン操作器である。リモコン操作器４３は送信信号を操作パネル４２等に設けた受信部で受信させることにより、制御部により操作パネル４２を直接操作したのと同様に遠隔操作可能にしている。
【００２８】
この衛生洗浄装置は、便座蓋３を開き便座２に着座し、用便等の後に操作パネル４２またはリモコン操作器４３を操作して、まず洗浄が行われる。これは上記したように給水元弁が開き、水道水が加熱手段に供給されて加熱され、送水ポンプにより洗浄ノズル１０から洗浄水が噴出し被洗浄面を洗浄する。次に人体乾燥装置を操作し、加圧空気を被洗浄面に噴出して水滴を吹き飛ばして拡散する。これは後述の加圧手段２２の動作により蓄圧タンク２３ａに加圧空気を溜め、開閉弁２５を開いて蓄圧手段２３から乾燥ノズル２４に加圧空気を送り被洗浄面に噴出させる。その後、または人体乾燥装置と同時に温風乾燥手段を操作し温風を被洗浄面に吹き出して温風乾燥する。
【００２９】
加圧手段２２の関連構成の詳細は図２に示している。蓄圧手段２３は、空気を加圧する加圧手段２２と、加圧された高圧空気を蓄える蓄圧タンク２３ａと、加圧手段２２を収納する収納ケース４８とを有し、蓄圧タンク２３ａは開閉弁２５を介して乾燥ノズル２４に接続している。そして、本実施例では収納ケース４８に、蓄圧タンク２３ａが一体に構成されている。また開閉弁２５は蓄圧タンク２３ａに取り付けられている。
【００３０】
さらに図２について説明すると、蓄圧タンク２３ａは空気入り口５０と高圧空気出口５１を有する。加圧手段２２は空気ポンプ５５とモータ５２を有し、モータ５２は防振ばね５３を介して収納ケース４８内に設けた取付台５４に取付けられ、配線５６が収納ケース４８を貫通して外部に引き出されている。空気圧ポンプ５５はロの字形板状のベース５７の一片がモータ５２の前端部に取付けられ、モータ軸に取付けた小歯車６６がベース５７内に位置している。ベース５７の他片にシリンダ５８の後端部が取付けられ、その前端部に逆止作用を有する吸入弁部６０と吐出弁部６１とが設けられ、吸入弁部６０から空気がシリンダ５８内に吸引され、吐出弁部６１から高圧空気が吐出される。吐出弁部６１と蓄圧タンク２３ａの空気入り口５０は接続パイプ６２により接続されている。シリンダ５８内を往復可能なピストン６３はモータ軸と平行な軸６５ａを介してピストンロッド６４の一端に接続され、ピストンロッド６４はベース５７の貫通穴５９を通してシリンダ５８の外部に突出している。ベース５７には小歯車６６に噛合する大歯車６７が取付けられ、大歯車６７に設けた、軸６５と平行な軸６５ａに既述したようにピストンロッド６４の他端部が軸支されている。したがって、モータ５２が回動すると小歯車６６、大歯車６７が回転しこれに伴ってピストンロッド６４がクランク運動してピストン６３がシリンダ５８内を往復する。ピストン６３の吸入弁部６０および吐出弁部６１から離れる動作により吸入弁部６０を通して収納ケース４８内部から空気をシリンダ５８内に吸入し、ピストン６３が吸入弁部６０および吐出弁部６１に近づく動作でシリンダ５８内の空気を圧縮して吐出弁部６１より接続パイプ６２を通って空気入り口５０から蓄圧タンク２３ａ内に押し出す。これにより蓄圧タンク２３ａ内は次第に高圧空気がたまるようになる。
【００３１】
開閉弁２５は本体４に設けてもよいが、図２では蓄圧タンク２３ａの外側に取り付けられて入り口側が高圧空気出口５１に接続され、弁の出口側は乾燥ノズル２４に配管４５により接続されている。この開閉弁２５を開くと、上記したように蓄圧タンク２３ａ内の高圧空気が開閉弁２５および配管４５を通って乾燥ノズル２４より噴出することができる。
【００３２】
本実施例によれば、加圧手段２２、蓄圧タンク２３ａおよび収納ケース４８からなるユニット化された蓄圧手段２３を、本体４の外に設置し、蓄圧手段２３の出口と本体４内の乾燥ノズル２４とを開閉弁２５を介して配管４５で接続することで、洗浄便座に高速乾燥機能を付加することができる。また加圧手段２２を収納ケース４８に収めることにより、本体４外への設置等の取扱が容易になるし、高速で稼動する加圧手段２２に人体が触れる危険性も無くなり安全性を向上することができる。さらに、収納ケース４８と蓄圧タンク２３ａを一体に構成すれば、蓄圧タンク２３ａと加圧手段２２が一体的に密に構成され、接続部品が少なくなるとともに構造が簡単になり信頼性を向上することができる。
【００３３】
（実施例２）
図３は本発明の実施例２における人体乾燥装置を示すものである。実施例１と基本構成は同じであるので、同一要素には同一符号を付して説明を省略する。
【００３４】
本実施例においては、収納ケース４８の蓋と蓄圧タンク２３ａの蓋を一体に構成したものである。すなわち、収納ケース４８と蓄圧タンク２３ａの開口部７１を蓋７０で覆っている。蓋７０と開口部７１の間にはパッキン７２を設け、収納ケース４８と蓄圧タンク２３ａの気密性を確保している。
【００３５】
以上のように本実施例においては、収納ケース４８と蓄圧タンク２３ａの蓋を一体に構成することにより、部品点数が少なくなるとともに、構成が簡単になり信頼性を向上することができる。また、コストを低減することもでき、安価に蓄圧手段２３を構成することができる。
【００３６】
（実施例３）
図４は本発明の実施例３における人体乾燥装置を示すものである。実施例１と基本構成は同じであるので、同一要素には同一符号を付して説明を省略する。
【００３７】
本実施例においては、蓄圧タンク２３ａを収納ケース４８から分離したものである。
【００３８】
これにより、高圧のかかる蓄圧タンク２３ａを圧力容器として単独で構成することができ、安全性を向上することができる。また、高圧のかからない収納ケース４８は材料の肉厚を薄くでき軽量で安価に構成することができる。
【００３９】
（実施例４）
図５は本発明の実施例４における人体乾燥装置を示すものである。実施例１と基本構成は同じであるので、同一要素には同一符号を付して説明を省略する。
【００４０】
本実施例においては、蓄圧タンク２３ａの開口部２３ｂを覆って蓄圧タンク蓋７３を設けたものであり、蓄圧タンク蓋７３と蓄圧タンク２３ａの開口部２３ｂの間にはパッキン７４を有する。これにより、気密性を確保して蓄圧タンク２３ａが圧力容器として機能するようにしている。
【００４１】
そして、蓄圧タンク蓋７３の外側には、開閉弁２５の入口側２５ａを取り付けている。これにより、高圧のかかる蓄圧タンク２３ａと開閉弁２５の接続管を無くすことができ、安全性と信頼性を向上することができる。また、蓄圧タンク２３ａと比較して小さい蓄圧タンク蓋７３に開閉弁２５を取り付けたので、組み立て易くすることができ生産性も向上することができる。
【００４２】
（実施例５）
図６は本発明の実施例５における人体乾燥装置を示すものである。実施例１と基本構成は同じであるので、同一要素には同一符号を付して説明を省略する。
【００４３】
本実施例においては、蓄圧タンク蓋７３の内側に開閉弁２５の出口側２５ｂを取り付けている。そして、開閉弁２５のリード線２５ｃを蓄圧タンク蓋７３の外側に気密性を確保しながら導くためのリード線保持具７３ａを設けている。
【００４４】
本実施例によれば、実施例４と同様な効果のほか、開閉弁２５が蓄圧タンク２３ａ内に収納されることから、設置の時、トイレ内の他の機器や壁に接触することがなくなり、設置性、安全性、信頼性を向上することができる。
【００４５】
（実施例６）
図７は本発明の実施例６における人体乾燥装置を示すものである。実施例１と基本構成は同じであるので、同一要素には同一符号を付して説明を省略する。
【００４６】
本実施例においては、加圧手段２２の動力側における収納ケース４８壁面に空気の吸気口４８ａが設けられ、ここから吸気された空気は加圧手段２２で加圧され蓄圧タンク２３ａに貯められるものである。
【００４７】
ここで、加圧手段２２の動力はモータ５２であり、稼動時に発熱して温度上昇するが、吸気口４８ａを加圧手段２２の動力側の収納ケース壁面に設けることで、吸気された温度の低い外気がモータ５２にあたり易くなり、発熱したモータ５２が空冷されて温度上昇が抑えられるので、安全性、信頼性を向上することができる。また、稼動時の温度は耐久性に影響を与えるため、稼動温度を低く保つことで耐久性も向上することができる。
【００４８】
（実施例７）
図８は本発明の実施例７における人体乾燥装置を示すものである。実施例１と基本構成は同じであるので、同一要素には同一符号を付して説明を省略する。
【００４９】
本実施例においては、加圧手段２２の圧縮機２２ａを、収納ケース４８の吸気口４８ａを有する壁面の反対側に配置している。
【００５０】
圧縮機２２ａは、ピストン６３がシリンダ５８内を高速で往復運動して空気の吸引、圧縮を繰り返すものであり、シリンダ５８の内壁とシール性と摺動性を向上するために設けたピストンリング６３ｂとの摩擦熱で温度上昇する。圧縮機２２ａの温度上昇は、ピストンリング６３ｂの熱劣化や熱膨張による摺動摩擦力の増大等の問題を引き起こす。
【００５１】
しかし、本実施例の構成により、吸気口４８ａから流入した温度の低い外気が加圧手段２２のモータ５２に当たった後、圧縮機２２ａの外側に接触しながら圧縮機２２ａに吸引されることから、発熱した加圧手段２２のモータ５２と圧縮機２２ａがともに空冷されるので、温度上昇が少なくなり、安全性、信頼性を向上することができる。
【００５２】
（実施例８）
図９は本発明の実施例８における人体乾燥装置を示すものである。実施例１と基本構成は同じであるので、同一要素には同一符号を付して説明を省略する。
【００５３】
本実施例においては、ファン７６ａとモータ７６ｂで構成されている冷却手段７６が、収納ケース４８内のモータ５２の上方に設けられている。
【００５４】
これにより、加圧手段２２のモータ５２と圧縮機２２ａが順次強制空冷されることになり、温度上昇が更に低く抑えられるので、安全性、信頼性を向上することができる。
【００５５】
（実施例９）
図１０は本発明の実施例９における人体乾燥装置を示すものである。実施例１と基本構成は同じであるので、同一要素には同一符号を付して説明を省略する。
【００５６】
本実施例においては、冷却手段７６のファン７６ａを加圧手段２２のモータ５２の一端に設けたもので、冷却手段７６のモータ７６ｂと加圧手段２２のモータ５２を共用している。
【００５７】
これにより、部品点数が少なくなるとともに、構成が簡単になるので信頼性を向上することができる。また、高価なモータを減らすことで、蓄圧手段２３を安価に構成することもできる。
【００５８】
（実施例１０）
図１１、図１２は本発明の実施例１０における人体乾燥装置を示すものである。実施例１と基本構成は同じであるので、同一要素には同一符号を付して説明を省略する。
【００５９】
本実施例においては、便器１の右側部に設けられた置き台７７に蓄圧手段２３が設置され、収納ケース４８に設けられた排気ダクト７８の出口７８ａが便器１と便座２の隙間から便器ボール１ａに臨んでいる。一方、温風乾燥手段３１のノズル３１ａは、便器１の後部左側から温風を便器ボール１ａ内に噴出させる。
【００６０】
これにより、モータ５２と圧縮機２２ａを冷却して温度上昇した収納ケース４８内の空気を排気ダクト７８の出口７８ａから便器ボール１ａ内に排気することにより、収納ケース４８内へ外気が流入し易くなり冷却性能がよくなるので、安全性、信頼性を向上することができる。また、図１２に示すように、温風乾燥手段３１の温風と排気の温風の両方で臀部の乾燥が行われるので、乾燥性能も向上することができるし、温風乾燥手段３１の能力を落とすことで、温風乾燥手段３１の小型化、低コスト化を図ることができる。
【００６１】
（実施例１１）
図１３は本発明の実施例１１における人体乾燥装置を示すものである。実施例１と基本構成は同じであるので、同一要素には同一符号を付して説明を省略する。
【００６２】
本実施例においては、収納ケース４８に設けられた排気部７９を、加圧手段２２の圧縮機２２ａ側に位置して設けている。
【００６３】
これにより、吸気口４８ａから流入した外気が冷却手段７６によって、加圧手段２２のモータ５２に流された後、圧縮機２２ａの外側に接触しながら排気部７９に至り排気されることになり、発熱した加圧手段２２のモータ５２と圧縮機２２ａがともに効率よく空冷されるので、安全性、信頼性を更に向上することができる。また、排気温度も高くなるので乾燥性能も向上することができる。
【００６４】
（実施例１２）
図１４は本発明の実施例１２における人体乾燥装置を示すものである。実施例１と基本構成は同じであるので、同一要素には同一符号を付して説明を省略する。
【００６５】
本実施例においては、収納ケース４８内に吸気した空気の通路８０を設け、この通路８０に蓄圧タンク２３ａ近傍の収納ケース壁面４８ｂに設けた吸気口８１から吸気した空気を導き、加圧手段２２に供給したものである。
【００６６】
このように、吸気口８１から吸気した空気を通路８０に導き加圧手段２２に供給することにより、外気が圧縮熱で温度上昇した蓄圧タンク２３ａの外壁に接触しながら流れることになり、蓄圧タンク２３ａが強制空冷されるので、温度上昇による材料の劣化がなくなり、安全性、信頼性を向上することができる。
【００６７】
【発明の効果】
以上のように、本発明の人体乾燥装置によれば、加圧手段、蓄圧タンクおよび収納ケースをユニット化した蓄圧手段を本体外に設置し、蓄圧手段と本体内の乾燥ノズルとを接続することで、洗浄便座等に高速乾燥機能を付加することができる。また蓄圧手段を収納ケースに収めることにより本体外への設置等の取扱が容易になるし、高速で稼動する加圧手段に人体が触れる危険性も無くなり安全性も向上することができる。さらに、蓄圧タンクと加圧手段が密に構成されるので、接続部品が少なくなり信頼性を向上することができるものである。
【図面の簡単な説明】
【図１】本発明の実施例１における人体乾燥装置の斜視図
【図２】同人体乾燥装置の蓄圧手段の断面図
【図３】本発明の実施例２における人体乾燥装置の蓄圧手段の断面図
【図４】本発明の実施例３における人体乾燥装置の蓄圧手段の部分断面図
【図５】本発明の実施例４における人体乾燥装置の蓄圧手段の断面図
【図６】本発明の実施例５における人体乾燥装置の蓄圧手段の断面図
【図７】本発明の実施例６における人体乾燥装置の蓄圧手段の部分断面図
【図８】本発明の実施例７における人体乾燥装置の蓄圧手段の部分断面図
【図９】本発明の実施例８における人体乾燥装置の蓄圧手段の部分断面図
【図１０】本発明の実施例９における人体乾燥装置の蓄圧手段の部分断面図
【図１１】本発明の実施例１０における人体乾燥装置の斜視図
【図１２】同人体乾燥装置の温風の流れを示す模式図
【図１３】本発明の実施例１１における人体乾燥装置の蓄圧手段の部分断面図
【図１４】本発明の実施例１２における人体乾燥装置の蓄圧手段の部分断面図
【符号の説明】
１ａ  便器ボール
４  本体
２２  加圧手段
２２ａ  圧縮機
２３  蓄圧手段
２３ａ  蓄圧タンク
２４  乾燥ノズル
２５  開閉弁
２５ａ  入口側
２５ｂ  出口側
４８  収納ケース
４８ａ  吸気口
４８ｂ  収納ケース壁面
７０  蓋
７３  蓄圧タンク蓋
７６  冷却手段
７９  排気部
８０  通路
８１  吸気口
【図１】
2004190281.tif 000003
【図２】
2004190281.tif 000004
【図３】
2004190281.tif 000005
【図４】
2004190281.tif 000006
【図５】
2004190281.tif 000007
【図６】
2004190281.tif 000008
【図７】
2004190281.tif 000009
【図８】
2004190281.tif 000010
【図９】
2004190281.tif 000011
【図１０】
2004190281.tif 000012
【図１１】
2004190281.tif 000013
【図１２】
2004190281.tif 000014
【図１３】
2004190281.tif 000015
【図１４】
2004190281.tif 000016